(57)【要約】【課題】落下した衝撃により、電池端子が永久変形しないように、電池端子の防護が図られた携帯機器を提供する。【解決手段】電池格納部を有する携帯機器であって、電池格納部内に、弾性部材からなる電池端子２、および該電池格納部に収容された電池３０の、該電池端子２を歪ませる方向への移動を制限するリブ７を備えた。【選択図】　図３
2004047392.tif 000002
【特許請求の範囲】
【請求項１】
電池格納部を有する携帯機器であって、
前記電池格納部内に、弾性部材からなる電池端子、および該電池格納部に収容された電池の、該電池端子を歪ませる方向への移動を制限するリブを備えたことを特徴とする携帯機器。
【請求項２】
前記電池端子は、該電池端子の弾性変形により、前記電池格納部に収容された電池の電極と接触するものであり、前記リブは、前記電池の移動を、前記電池端子が弾性限度内の変形にとどまる移動量に制限するものであることを特徴とする請求項１記載の携帯機器。
【発明の詳細な説明】
【０００１】
【発明の属する技術分野】
本発明は、電池を収容する電池格納部を有しその電池室に収容された電池から電力の供給を受ける携帯機器に関する。
【０００２】
【従来の技術】
従来、カメラ、ビデオなどの光学機器、携帯電話・コードレス電話などの通信機器、ノートパソコン・電子手帳などのＯＡ機器、ヘッドホンステレオ・ポータブルＣＤプレイヤー・カセットテープレコーダなどのオーディオ機器、電気カミソリ・電動歯ブラシなどの電動機器、玩具、懐中電灯などに、小型機器用の１次電池や、２次電池が盛んに使用されている。
【０００３】
しかしながら、電池格納部に電池を収容するとき、電池の正極と負極とを間違えて装填したり、携帯機器を携行する際に誤って落としてしまうことがある。
【０００４】
電池の正極と負極とを間違えて装填すると、携帯機器内の電子回路に逆電圧がかかり、電子回路が誤作動をすることがあり、これを防止するため、例えば特開２００１−２３５９２号公報に、電池端子の中央部に凹部を設け、電池の正極はその凹部に接触して導通するが、電池の負極側は、電池の絶縁部がその電池端子の両端に接触し、電池の負曲とは非導通となるため、電池の誤装填が防止される技術が開示されている。
【０００５】
また、携帯機器を誤って落とすと、電池格納部の蓋が開いて収容されている電池が中から飛び出すことがあり、これを防止するため、例えば特開２０００−３５３５０６号公報に、飛び出し防止用のリブを設け、電池が飛び出そうとするときに、そのリブによって電池蓋が閉じる方向の力を作用させる技術が開示されている。
【０００６】
【発明が解決しようとする課題】
しかしながら、特開２００１−２３５９２号公報に開示された技術を用いることにより電池が誤装填されるのを防止したり、特開２０００−３５３５０６号公報に開示された技術を用いることにより携帯機器を落としたときの電池の飛び出しは防止できたとしても、携帯機器を落としたときに、電池格納部に収容された電池が移動し、電池端子が弾性限度を越える衝撃により永久変形するのを防止し得ない。
【０００７】
本発明は、上記事情に鑑み、落下した衝撃により、電池端子が永久変形しないように、電池端子の防護が図られた携帯機器を提供することを目的とする。
【０００８】
【課題を解決するための手段】
上記目的を達成する本発明の携帯機器は、電池格納部を有する携帯機器であって、
上記電池格納部内に、弾性部材からなる電池端子、および該電池格納部に収容された電池の、該電池端子を歪ませる方向への移動を制限するリブを備えたことを特徴とする。
【０００９】
このように、リブにより、電池端子を変形させる方向への電池の移動が制限されるので、携帯機器を落した場合でも電池端子が永久変形を受けることがない。
【００１０】
ここで、上記電池端子は、該電池端子の弾性変形により、上記電池格納部に収容された電池の電極と接触するものであり、上記リブは、上記電池の移動を、上記電池端子が弾性限度内の変形にとどまる移動量に制限するものであることが好ましい態様である。
【００１１】
このように、リブにより、電池の移動量を制限すれば、携帯機器を落した場合に受ける電池端子の変形を弾性限度内に抑えることができる。
【００１２】
【発明の実施の形態】
以下、本発明の携帯機器の実施形態について説明する。
【００１３】
図１および図２は、本実施形態の携帯機器に備える電池格納部を示す概略図であり、図１は、外観を示す斜視図であり、図２は、電池格納部の電池端子収容室の側面図である。
【００１４】
図１および図２に示すように、電池格納部１は、半円筒形を連接した形状を有する部材からなる、２個の電池を着脱自在に収容する電池収容室１０と、電池収容室１０に一部が結合される、円筒形を連接した形状を有するめがね状部材２１と、電池収容室１０を形成する半円筒形部材の反対側でめがね状部材２１に結合され、結合された側と反対側に開口部２２ａを有する、めがね状部材２１と一体成形された直方体形状を有する直方体部材２２とからなり、２個の電池端子２，３を収容する電池端子収容室２０とを備え、電池端子収容室２０の、電池収容室１０と反対側の側面には、収容される２個の電池の電極の中央部に対向した２つの四角形の孔２３が設けてある。
【００１５】
電池端子２，３は、金属の弾性部材により形成され、板状の矩形部分２ａ，３ａと、その矩形部分２ａ，３ａに連なって内側に折り曲げられた、矩形部分２ａ，３ａよりも狭幅の折り曲げ部分２ｂ，３ｂと、その折り曲げ部分２ｂ，３ｂに連なる、矩形部分２ａ，３ａと同幅の、電池と接触する端子部分２ｃ，３ｃとを有し、矩形部分２ａ，３ａの外面の中央には、四角形の突起部２ｄ３ｄが設けられている。
【００１６】
また、２個の電池端子２，３のうち、図の左側の端子部分３ｃは、負極用であり、図の右側の端子部分２ｃは正極用である。正極用の端子部分２ｃには、左右に孔２ｅが開いており、その孔２ｅには、電池の正極と負極とが逆挿入されるのを防止するための、プラスチック成形部材５が取り付けられる。
【００１７】
電池端子２，３は、電池端子収容室２０の直方体部材２２の開口部２２ａそれぞれに挿入され、電池端子の矩形部分２ａ，３ａの外面の中央に設けられた突起部２ｄ，３ｄが、電池端子収容室２０の側面の四角形の孔２３それぞれに嵌合することにより、電池端子収容室２３内に固定される。
【００１８】
図２に示すように、電池端子収容室２０には、円筒形を連接した形状を有するめがね状部材２１と、めがね状部材と一体成形された直方体形状を有する直方体部材２２とからなり、２個の電池端子２，３を収容することができる。
【００１９】
めがね状部材２１の奥の直方体形状を有する直方体部材２２の、図の左側部分には負極用の電池端子３が挿入され、図の右側部分には正極用の電池端子２が挿入される。
【００２０】
正極用の電池端子２の端子部分２ｃには、左右に孔２ｅが開けてあり、その孔２ｅには、電池の正極と負極とが逆挿入されるのを防止するための、プラスチック成形部材５が取り付けられている。
【００２１】
めがね部材２１のそれぞれの円筒形の奥、直方体部材２２の内部には、電池収容室１０に電池が収容された後、例えば電池が衝撃で移動したときに、その移動量を制限し、電池端子２，３が電池から受ける応力を所定の範囲内に制限するストッパーリブ７が、それぞれの円筒形内に左右に１つづつ備えられている。
【００２２】
ここで、本実施形態のストッパーリブ７は、長さが３ｍｍ、幅が１ｍｍ、高さが２ｍｍの直方体形状をなし、電池端子収容室２０と一体成形されているが、必ずしもこの大きさ、位置および形状に限定する必要はなく、電池端子２，３が弾性限度内の変形にとどまるように電池の移動量を制限できるものであればよい。
【００２３】
図３及び図４は、図１に示す電池格納部をＡ−Ａ′面で切断した断面図を示す図であり、図３は、電池格納部に電池が収容された通常状態を示し、図４は、携帯機器が落下した衝撃により、電池が移動した状態を示す。
【００２４】
図３において、電池格納部１は、板状の矩形部分２ａと、その矩形部分２ａに連なって内側に折り曲げられた、矩形部分２ａよりも狭幅の折り曲げ部分２ｂと、その折り曲げ部分２ｂに連なる、矩形部分２ａと同幅の、電池と接触する端子部分２ｃとを有する電池端子２と、電池収容室１０に収容された電池３０が移動したときに電池端子２がその電池から受ける応力を所定の範囲内に制限するストッパーリブ７とを備えている。
【００２５】
ここで、本実施形態では、ストッパーリブ７の高さは、２ｍｍに設定され、電池３０が移動できる距離は１ｍｍに制限されている。
【００２６】
電池格納部１の電池収容室１０には電池が収容され、電池３０の正極は、正極用の電池端子２の端子部分２ｃと接触している。電池端子２は、弾性部材により形成されており、電池３０を収納する際に電池３０の正極３０ａによる押圧力を受け、弾性部材が弾性変形することにより電池格納部１に収容された電池３０の正極３０ａと接触する。
【００２７】
図４において、携帯機器が落下した衝撃により、電池３０が電池端子を歪ませる方向に移動したときに、電池端子２は応力を受ける。しかし、電池端子収容室２０内には、電池端子収容室２０の側面から電池収容室１０に向けて突出したストッパーリブ７を備えるとともに、電池格納部１に収容された電池３０が１ｍｍを越えて移動しないようにその高さが調整されている。
【００２８】
したがって、電池３０が衝撃を受けても、１ｍｍ移動したときに、電池端子２の折り曲げ部分２ｂは、通常時よりも鋭角に折り曲げられて歪むが、その状態においても、折り曲げ部分２ｂは、弾性変形を維持することができる。
【００２９】
本実施形態では、電池３０の移動量を１ｍｍに制限しているが、移動量は、１ｍｍに限定する必要はなく、電池端子２が弾性限度内の変形にとどまる移動量であれば、任意に設定できる。
【００３０】
このように、電池収容室１０に向けて突出したストッパーリブ７を備えるとともに、電池格納部１に収容された電池３０が所定の移動量を越えて移動しないようにそのストッパーリブ７の大きさが調整されているので、携帯機器が落下した衝撃で、電池端子２が弾性限度を越えて変形することはない。
【００３１】
【発明の効果】
以上、説明したように、本発明の携帯機器によれば電池格納部に、電池の移動量を制限するリブを備えているので、携帯機器を誤って落としたときでも、電池端子は弾性限度内の変形にとどまり、永久変形することがない。
【図面の簡単な説明】
【図１】本実施形態の携帯機器に備える電池格納部を示す概略斜視図である。
【図２】電池端子収容室を、２つの円筒形を有する開口側から見た図である。
【図３】図１に示す電池格納部をＡ−Ａ′面で切断した通常状態を示す断面図である。
【図４】図１に示す電池格納部をＡ−Ａ′面で切断した衝撃状態を示す図である。
【符号の説明】
１　　電池格納部
２，３　電池端子
２ａ，２ｂ　矩形部分
２ｂ，３ｂ　折り曲げ部分
２ｃ，３ｃ　端子部分
５　　プラスチック成形部材
７　　ストッパーリブ
１０　電池収容室
２０　電池端子収容室
２１　めがね状部材
２２　直方体部材
２３　四角形の孔
３０　電池
３０ａ　正極
【図１】
2004047392.tif 000003
【図２】
2004047392.tif 000004
【図３】
2004047392.tif 000005
【図４】
2004047392.tif 000006